【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
組成物の総重量を基準にして、
a)5〜90重量%の量の1種以上のポリオレフィン、
b)5〜90重量%の量の1種以上の高分子乳化剤Px、
c)0〜40重量%の量の1種以上の油Ox、
d)5〜40重量%の量の1種以上の界面活性剤Sx、
e)0〜10重量%の量の1種以上の添加剤Ax、及び
f)0〜8重量%の量の水、
を含有し、
水は、組成物の連続相ではなく、
1種以上のポリオレフィンとPx及びSxとの重量比は、4:1〜1:3の範囲にあり、Sxに対するPxの重量比は、1.25より高い、自己乳化性組成物。
【請求項２】
組成物の総重量を基準にして、
a)20〜70重量%の量の1種以上のポリオレフィン、
b)10〜50重量%の量の1種以上のポリマー乳化剤Px、
c)0〜40重量%の量の1種以上の油Ox、
d)5〜30重量%の量の1種以上の界面活性剤Sx、
e)0〜10重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPxの重量比は、1.25より高い、請求項１に記載の自己乳化性組成物。
【請求項３】
組成物の総重量を基準にして、
a)30〜60重量%の量の1種以上のポリオレフィン、
b)20〜45重量%の量の1種以上のポリマー乳化剤Px、
c)0.1〜30重量%の量の1種以上の油Ox、
d)5〜25重量%の量の1種以上の界面活性剤Sx、
e)0.1〜10重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPxの重量比は、1.25より高い、請求項１又は２に記載の自己乳化性組成物。
【請求項４】
組成物の総重量を基準にして、
a)40〜50重量%の量の1種以上のポリオレフィン、
b)25〜40重量%の量の1種以上の高分子乳化剤Px、
c)5〜15重量%の量の1種以上の油Ox、
d)5〜15重量%の量の1種以上の界面活性剤Sx、
e)2〜8重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPXの重量比は、1.25より高い、請求項１〜３のいずれか１項に記載の自己乳化性組成物。
【請求項５】
無水組成物である、請求項１〜４のいずれか１項に記載の自己乳化性組成物。
【請求項６】
低水分組成物である、請求項１〜４のいずれか１項に記載の自己乳化性組成物。
【請求項７】
1種以上のポリオレフィンが、ポリエチレン、ポリプロビレン、ポリブチレン及びポリイソブテンからなる群から選択される、請求項１〜６のいずれか１項に記載の自己乳化性組成物。
【請求項８】
請求項１〜７のいずれか１項に記載の自己乳化性組成物であって、1種以上の高分子乳化剤Pxが以下：
P1)ポリイソブテン誘導体、ここで、P1は、ポリイソブテンアミン、ポリイソブテン無水コハク酸、ポリイソブテン無水コハク酸とポリアルキレングリコールのコポリマー、ポリイソブテン無水コハク酸とオリゴアミン又はオリゴアミンアルコキシレートとのコポリマーである；
P2)カチオン性高分子乳化剤、ここで、P2は、
A2)1種以上のカチオン性エチレン性不飽和モノマー、
B2)1種以上の直鎖又は分枝のアルキル(メタ)アクリレート、及び
C2)0〜30重量%の1種以上のC3〜C8モノエチレン性不飽和カルボン酸
の重合の結果物である；及び
P3)式3
【化１】
2015502994.tif 000001
[式中、R*=H、CH3であり、
R=H、メチルであり、
R'=H、メチルであり、
n=1〜200である]
で表される、1種以上のポリアルキレンとモノエチレン性不飽和モノマーとのコポリマー
からなる群から選択される、上記自己乳化性組成物。
【請求項９】
請求項１〜８のいずれか１項に記載の自己乳化性組成物であって、1種以上の高分子乳化剤Pxが以下：
P1)ポリイソブテン誘導体、ここで、P1は、ポリイソブテンアミン、ポリイソブテン無水コハク酸、ポリイソブテン無水コハク酸とポリエチレングリコールのコポリマーである；
P2)カチオン性高分子乳化剤、ここで、P2は、
A2)ジアリルジメチルアンモニウムクロライド、
B2)1種以上の直鎖又は分枝アルキル(メタ)アクリレート、及び
C2)0〜30重量%のアクリル酸
の重合の結果物である；及び
P3)式3
【化２】
2015502994.tif 000002
[式中、R*=H、CH3であり、
R=H、メチルであり、
R'=H、メチルであり、
n=1〜200である]
で表される、1種以上のポリアルキレンとモノエチレン性不飽和モノマーとのコポリマー
からなる群から選択される、上記自己乳化性組成物。
【請求項１０】
1種以上の油Oxが、
c1)大気圧で150℃以上の沸点を有する鉱油、
c2)C10-〜C26-カルボン酸とC8〜C24-アルコールとのエステル、及び
c3)シリコーン油
からなる群から選択される、請求項１〜９のいずれか１項に記載の自己乳化性組成物。
【請求項１１】
1種以上の界面活性剤Sxが、
d1)非イオン性界面活性剤、
d2)アニオン性界面活性剤、及び
d3)カチオン性界面活性剤
からなる群から選択される、請求項１〜１０のいずれか１項に記載の自己乳化性組成物。
【請求項１２】
組成物1kgに付き50mg未満の有機溶媒の含有量を有する、請求項１〜１１のいずれか１項に記載の自己乳化性組成物。
【請求項１３】
化学技術用途、化粧料、植物保護、紙の調製及び処理、織物及び皮革、接着剤、染料及び顔料調合物、被覆剤、薬物応用、建築、又は木材処理における、請求項１〜１２のいずれか１項に記載の自己乳化性組成物の使用。
【請求項１４】
カーウォッシュ、洗濯洗剤組成物、硬表面クリーナー、自動食器洗い液体、又は食器洗い液体における、請求項１〜１２のいずれか１項に記載の自己乳化性組成物の使用。
【手続補正２】
【補正対象書類名】明細書
【補正対象項目名】００３６
【補正方法】変更
【補正の内容】
【００３６】
P3)は、式3
【化１】
2015502994.tif 000003
【手続補正３】
【補正対象書類名】明細書
【補正対象項目名】００３７
【補正方法】変更
【補正の内容】
【００３７】
ここで、
R*=H、CH3であり、
R=H、メチルであり、
R'=H、メチルであり、
n=1〜200であり、
のポリアルキレン(複数可)とモノエチレン性不飽和モノマーとのコポリマーである。
式3のポリアルキレン(複数可)のコポリマーに関して、好ましい実施形態が存在する。したがって、式3のポリアルキレン(複数可)は、好ましくは
R*=R=R'=CH3'であり、
n=1〜200であるもの
から構成される。
【手続補正４】
【補正対象書類名】明細書
【補正対象項目名】０２０７
【補正方法】変更
【補正の内容】
【０２０７】
測定からわかるように、すべてのプレミックスは、PIB又はPIBAのような疎水性の成分と同等の伝導率を示し、水はこれらのプレミックス中において連続相でないことを示した。
本発明は以下の発明を包含する。
（１）組成物の総重量を基準にして、
a)5〜90重量%の量の1種以上のポリオレフィン、
b)5〜90重量%の量の1種以上の高分子乳化剤Px、
c)0〜40重量%の量の1種以上の油Ox、
d)0〜40重量%の量の1種以上の界面活性剤Sx、
e)0〜10重量%の量の1種以上の添加剤Ax、及び
f)0〜8重量%の量の水、
を含有し、
水は、組成物の連続相ではなく、
1種以上のポリオレフィンとPx及びSxとの重量比は、4:1〜1:3の範囲にあり、Sxに対するPxの重量比は、1.25より高い、自己乳化性組成物。
（２）組成物の総重量を基準にして、
a)20〜70重量%の量の1種以上のポリオレフィン、
b)10〜50重量%の量の1種以上のポリマー乳化剤Px、
c)0〜40重量%の量の1種以上の油Ox、
d)0.1〜30重量%の量の1種以上の界面活性剤Sx、
e)0〜10重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPxの重量比は、1.25より高い、（１）に記載の自己乳化性組成物。
（３）組成物の総重量を基準にして、
a)30〜60重量%の量の1種以上のポリオレフィン、
b)20〜45重量%の量の1種以上のポリマー乳化剤Px、
c)0.1〜30重量%の量の1種以上の油Ox、
d)0.5〜25重量%の量の1種以上の界面活性剤Sx、
e)0.1〜10重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPxの重量比は、1.25より高い、（１）又は（２）に記載の自己乳化性組成物。
（４）組成物の総重量を基準にして、
a)40〜50重量%の量の1種以上のポリオレフィン、
b)25〜40重量%の量の1種以上の高分子乳化剤Px、
c)5〜15重量%の量の1種以上の油Ox、
d)5〜15重量%の量の1種以上の界面活性剤Sx、
e)2〜8重量%の量の1種以上の添加剤Ax、及び
f)0〜8重量%の量の水、
の量で存在し、
水は、組成物の連続相ではなく、
1種以上のポリオレフィンとPx及びSxとの重量比は、4:1〜1:3の範囲にあり、Sxに対するPXの重量比は、1.25より高い、（１）〜（３）のいずれかに記載の自己乳化性組成物。
（５）無水組成物である、（１）〜（４）のいずれかに記載の自己乳化性組成物。
（６）低水分組成物である、（１）〜（４）のいずれかに記載の自己乳化性組成物。
（７）1種以上のポリオレフィンが、ポリエチレン、ポリプロビレン、ポリブチレン及びポリイソブテンからなる群から選択される、（１）〜（６）のいずれかに記載の自己乳化性組成物。
（８）（１）〜（７）のいずれかに記載の自己乳化性組成物であって、1種以上の高分子乳化剤Pxが以下：
P1)ポリイソブテン誘導体、ここで、P1は、ポリイソブテンアミン、ポリイソブテン無水コハク酸、ポリイソブテン無水コハク酸とポリアルキレングリコールのコポリマー、ポリイソブテン無水コハク酸とオリゴアミン又はオリゴアミンアルコキシレートとのコポリマーである；
P2)カチオン性高分子乳化剤、ここで、P2は、
A2)1種以上のカチオン性エチレン不飽和モノマー、
B2)1種以上の直鎖又は分枝のアルキル(メタ)アクリレート、及び
C2)0〜30重量%の1種以上のC3〜C8モノエチレン性不飽和カルボン酸
の重合の結果物である；及び
P3)式3
【化１５】
2015502994.tif 000004
[式中、R*=H、CH3であり、
R=H、メチルであり、
R'=H、メチルであり、
n=1〜200である]
で表される、1種以上のポリアルキレンとモノエチレン性不飽和モノマーとのコポリマー
からなる群から選択される、上記自己乳化性組成物。
（９）（１）〜（８）のいずれかに記載の自己乳化性組成物であって、1種以上の高分子乳化剤Pxが以下：
P1)ポリイソブテン誘導体、ここで、P1は、ポリイソブテンアミン、ポリイソブテン無水コハク酸、ポリイソブテン無水コハク酸とポリエチレングリコールのコポリマーである；
P2)カチオン性高分子乳化剤、ここで、P2は、
A2)ジアリルジメチルアンモニウムクロライド、
B2)1種以上の直鎖又は分枝アルキル(メタ)アクリレート、及び
C2)0〜30重量%のアクリル酸
の重合の結果物である；及び
P3)式3
【化１６】
2015502994.tif 000005
[式中、R*=H、CH3であり、
R=H、メチルであり、
R'=H、メチルであり、
n=1〜200である]
で表される、1種以上のポリアルキレンとモノエチレン性不飽和モノマーとのコポリマー
からなる群から選択される、上記自己乳化性組成物。
（１０）1種以上の油Oxが、
c1)大気圧で150℃以上の沸点を有する鉱油、
c2)C10-〜C26-カルボン酸とC8〜C24-アルコールとのエステル、及び
c3)シリコーン油
からなる群から選択される、（１）〜（９）のいずれかに記載の自己乳化性組成物。
（１１）1種以上の界面活性剤Sxが、
d1)非イオン性界面活性剤、
d2)アニオン性界面活性剤、及び
d3)カチオン性界面活性剤
からなる群から選択される、（１）〜（１０）のいずれかに記載の自己乳化性組成物。
（１２）組成物1kgに付き50mg未満の有機溶媒の含有量を有する、（１）〜（１１）のいずれかに記載の自己乳化性組成物。
（１３）化学技術用途、化粧料、植物保護、紙の調製及び処理、織物及び皮革、接着剤、染料及び顔料調合物、被覆剤、薬物応用、建築、又は木材処理における、（１）〜（１２）のいずれかに記載の自己乳化性組成物の使用。
（１４）カーウォッシュ、洗濯洗剤組成物、硬表面クリーナー、自動食器洗い液体、又は食器洗い液体における、（１）〜（１２）のいずれかに記載の自己乳化性組成物の使用。